(57)【要約】【課題】電力の消耗を減らし、望みの映像が正確に表現できる平板表示装置及びその駆動方法を提供する。【解決手段】本発明は、基板１１０と、基板１１０上に位置し、複数個のサブピクセルを含むピクセル部１２０と、ピクセル部１２０にデータ信号及びそのデータ信号に対応するチャージ値を有するチャージ信号を供給するデータ駆動部１５０を含み、このチャージ信号は予め設定された多数のレベルの電圧の内から選択された第１チャージ信号、及びチャージ値と第１チャージ信号の差に対応する第２チャージ信号を含む。【選択図】図１
2008015471.tif 000002
【特許請求の範囲】
【請求項１】
基板と、
前記基板上に位置し、複数個のサブピクセルを含むピクセル部と、
前記ピクセル部にデータ信号及び前記データ信号に対応するチャージ値を有するチャージ信号を供給するデータ駆動部と、を含み、
前記チャージ信号は、予め設定された多数のレベルの電圧の内から選択された第１チャージ信号及び前記チャージ値と前記第１チャージ信号の差に対応する第２チャージ信号を含む平板表示装置。
【請求項２】
前記第１チャージ信号は、プリチャージ信号またはディスチャージ信号であることを特徴とする請求項１記載の平板表示装置。
【請求項３】
前記電圧は段階別に設定されていることを特徴とする請求項１記載の平板表示装置。
【請求項４】
前記データ駆動部は、データ出力部及びデータ処理部を含み、
前記データ処理部は、前記データ出力部からデータ信号を受けて該データ信号に対応するチャージ値を決定し、
前記予め設定された多数のレベルの電圧の値の内から前記第１チャージ信号を選択し、
前記チャージ値と前記第１チャージ信号の差に対応する正の値を有する前記第２チャージ信号を生成することを特徴とする請求項１記載の平板表示装置。
【請求項５】
前記チャージ値は、データ処理部のルックアップテーブルに格納された値である請求項１記載の平板表示装置。
【請求項６】
前記データ処理部は、予め設定された電圧値を含む第１チャージ信号出力部を含み、前記第１チャージ信号は前記第１チャージ信号出力部から選択された値である請求項４記載の平板表示装置。
【請求項７】
前記第１チャージ信号は、前記チャージ値より低く設定された値の内で、前記チャージ値に最も近い値であることを特徴とする請求項６記載の平板表示装置。
【請求項８】
前記データ駆動部は、前記データ信号及び前記第２チャージ信号を電流に変換するコンバータを更に含む請求項４記載の平板表示装置。
【請求項９】
前記データ駆動部はスイッチ部を更に含み、
前記スイッチ部は、前記コンバータ及び前記ピクセル部に接続されて前記ピクセル部にデータ信号を供給するための第１スイッチ、前記コンバータ及び前記ピクセル部に接続されて前記第２チャージ信号を前記ピクセル部に供給するための第２スイッチ、及び前記第１チャージ信号出力部及び前記ピクセル部に接続されて前記第１チャージ信号を前記ピクセル部に供給する第３スイッチを含む請求項４記載の平板表示装置。
【請求項１０】
前記第３スイッチは、前記第１チャージ信号出力部の予め設定された多数のレベルの電圧値を供給する電源ラインに各々接続された複数個のスイッチを含む請求項９記載の平板表示装置。
【請求項１１】
前記スイッチ部は、前記第２スイッチと前記コンバータとの間に接続されたブースタを更に含む請求項９記載の平板表示装置。
【請求項１２】
前記第１チャージ信号は、前記予め設定された多数のレベルの電圧の値の内、前記チャージ値に最も近い値である請求項４記載の平板表示装置。
【請求項１３】
前記データ駆動部は、前記データ信号及び前記第２チャージ信号を電流に変換するコンバータを更に含む請求項４記載の平板表示装置。
【請求項１４】
前記データ駆動部は、直前の前記データ信号と現在の前記データ信号とを比較する比較器を含み、両データ信号が実質的に同一な場合、前記チャージ信号を供給しない請求項４記載の平板表示装置。
【請求項１５】
前記データ駆動部は、スイッチ部を更に含み、
前記スイッチ部は、前記コンバータ及び前記ピクセル部に接続されて前記ピクセル部にデータ信号を供給するための第１スイッチ、前記コンバータ及び前記ピクセル部に接続されて前記第２チャージ信号を前記ピクセル部に供給するための第２スイッチ、前記コンバータ及びディスチャージパスに接続され、前記第２チャージ信号に対応する電流値を前記ピクセル部からディスチャージするための第３スイッチ部、及び前記第１チャージ信号出力部及び前記ピクセル部に接続されて前記第１チャージ信号を前記ピクセル部に供給する第４スイッチを含む請求項４記載の平板表示装置。
【請求項１６】
前記スイッチ部は、前記コンバータ、前記第３スイッチ、及び前記ディスチャージパスに接続された電流ミラーを更に含む請求項１５記載の平板表示装置。
【請求項１７】
前記チャージ値と前記第１チャージ信号の差が正の値である場合、前記第２スイッチはターン−オンされ、前記チャージ値と前記第１のチャージ信号の差が負の値である場合、前記第３スイッチ部がターン−オンされることを特徴とする請求項１５記載の平板表示装置。
【請求項１８】
前記第４スイッチ部は、予め設定された複数個の電圧値に各々接続された複数個のスイッチを含む請求項１５記載の平板表示装置。
【請求項１９】
前記スイッチ部は、前記第２スイッチまたは前記第３スイッチと前記コンバータとの間に接続されたブースタを更に含む請求項１５記載の平板表示装置。
【請求項２０】
前記サブピクセルは、第１電極、有機発光層、及び第２電極を含む有機発光ダイオードを含む請求項１記載の平板表示装置。
【請求項２１】
前記サブピクセルは、前記有機発光ダイオードと電気的に接続されたトランジスタ及びキャパシタを含む請求項２０記載の平板表示装置。
【請求項２２】
複数個のサブピクセルを含むピクセル部にスキャン信号を供給するスキャン信号供給段階と、
前記ピクセル部にデータ信号または前記データ信号に対応するチャージ値を有するチャージ信号を選択的に供給するデータ信号供給段階を含み、
前記チャージ信号は、予め設定された多数のレベルの電圧の内から選択された第１チャージ信号及び前記チャージ値と前記第１チャージ信号の差に対応する第２チャージ信号を含む平板表示装置の駆動方法。
【請求項２３】
前記第１チャージ信号は、プリチャージ信号とディスチャージ信号に区分されることを特徴とする請求項２２記載の平板表示装置の駆動方法。
【請求項２４】
前記第１チャージ信号は、前記予め設定された多数のレベルの電圧の値の内で、前記チャージ値に最も近い値である請求項２２記載の平板表示装置の駆動方法。
【請求項２５】
直前の前記データ信号と現在の前記データ信号とを比較して、両データ信号が実質的に同一な場合、前記チャージ信号を供給しないことを特徴とする請求項２２記載の平板表示装置の駆動方法。
【請求項２６】
前記サブピクセルは、第１電極、有機発光層、及び第２電極を含む有機発光ダイオードを含む請求項２２記載の平板表示装置の駆動方法。
【請求項２７】
前記サブピクセルは、前記有機発光ダイオードと電気的に接続されたトランジスタ及びキャパシタを含む請求項２６記載の平板表示装置の駆動方法。
【発明の詳細な説明】
【技術分野】
【０００１】
本発明は、平板表示装置及びその駆動方法に関するものである。
【背景技術】
【０００２】
平板表示装置（Ｆｌａｔ  Ｐａｎｅｌ  Ｄｉｓｐｌａｙ）のうち、電界発光表示装置（Ｌｉｇｈｔ  Ｅｍｉｔｔｉｎｇ  Ｄｉｓｐｌａｙ）は、応答速度が高く、消費電力が低いという長所を持つ。また、電界発光表示装置は、バックライトを必要としないため、軽量薄型が可能である。
【０００３】
特に、有機電界発光表示装置は、アノードとカソードとの間に有機発光層を含んでおり、アノードから供給される正孔とカソードから受けた電子が有機発光層内で結合して、正孔−電子対である励起子（ｅｘｃｉｔｏｎ）を形成し、再度励起子が底状態に戻るときに発生するエネルギーにより発光する。
【０００４】
平板表示装置は、スキャン信号が印加される区間内にデータ信号を印加して望みの映像を表現する。しかしながら、各サブピクセルには寄生キャパシタンスが存在するため、データ信号入力時に正確な階調表現が困難である。したがって、データ信号を印加する前、サブピクセルを予備に充電するためにプリチャージ信号を供給し、データ信号を印加した後、サブピクセルを放電するためにディスチャージ信号をピクセル部に供給している。
【発明の開示】
【発明が解決しようとする課題】
【０００５】
しかしながら、従来の技術では、プリチャージ信号を一律に印加しているため、実際に必要なプリチャージ信号がピクセル部に印加できなかった。また、ディスチャージ信号も次のフレームに印加されるデータ信号を考慮することなく印加しているため、ディスチャージ信号によりピクセル部は決まったレベルに一律に放電された。その結果、不要なプリチャージ信号またはディスチャージ信号の印加により不要な電力が浪費される問題があった。
【０００６】
本発明は、電力の消耗を低減し、望みの映像が正確に表現できる平板表示装置及びその駆動方法を提供することをその目的とする。
【課題を解決するための手段】
【０００７】
前記の目的を達成するために、本発明に係る平板表示装置は、基板と、前記基板上に位置し、複数個のサブピクセルを含むピクセル部と、前記ピクセル部にデータ信号及び前記データ信号に対応するチャージ値を有するチャージ信号を供給するデータ駆動部とを含み、前記チャージ信号は予め設定された多数のレベルの電圧の内から選択された第１チャージ信号及び前記チャージ値と前記第１チャージ信号の差に対応する第２チャージ信号を含むことを特徴とする。
【０００８】
また、本発明に係る平板表示装置の駆動方法は、複数個のサブピクセルを含むピクセル部にスキャン信号を供給するスキャン信号供給段階と、前記ピクセル部にデータ信号または前記データ信号に対応するチャージ値を有するチャージ信号を選択的に供給するデータ信号供給段階を含み、前記チャージ信号は予め設定された多数のレベルの電圧の内から選択された第１チャージ信号及び前記チャージ値と前記第１チャージ信号の差に対応する第２チャージ信号を含むことを特徴とする。
【発明の効果】
【０００９】
本発明によれば、電力の消耗を低減させることができ、データ信号に対応する正確な映像イメージを表現することができるので、画面の品質を向上させる効果が得られる。
【発明を実施するための最良の形態】
【００１０】
図１に示すように、本発明の第１実施形態に係る平板表示装置１００は、基板１１０の上に形成されたピクセル部１２０と駆動部１４０を含む。
【００１１】
ピクセル部１２０は、アノード電極、カソード電極、及び両電極間に介在する有機発光層を含む複数個のサブピクセルを含む。図示は省略するが、各サブピクセルは、ピクセル部１２０内のスキャンライン及びデータラインの交差により形成される領域に位置する。 そして、各サブピクセルは、アノード電極に連結された１つ以上のトランジスタ及びコンデンサを含むことができる。
【００１２】
駆動部１４０は、スキャン駆動部１４５とデータ駆動部１５０を含み、制御部（図示は省略する）の制御信号によって、スキャンライン１３０Ａとデータライン１３０Ｂを通じてピクセル部１２０に駆動信号を供給する。駆動部１４０は、説明の便宜のために、スキャン駆動部１４５とデータ駆動部１５０を含む１つの駆動部で表したが、これらは各々独立した形態で形成することも、または、各々多数個のユニットとして形成することもできる。
【００１３】
図２は、本発明の第１実施形態に係る平板表示装置の駆動部を示すブロック図である。
【００１４】
図２に示すように、データ駆動部１５０は、データ出力部１５１、データ処理部１５２及びコンバータ１５５を含む。
【００１５】
データ出力部１５１は、外部からディジタルデータ信号の供給を受けてデータ処理部１５２に伝達する。ここで、データ信号は、ピクセル部１２０に表現しようとする階調に該当する値をいう。
【００１６】
データ処理部１５２は、データ出力部１５１から伝達されたデータ信号を処理して、そのデータ信号に該当するチャージ信号を生成する。ここで、チャージ信号は、ピクセル部の寄生キャパシタンスを満たしてデータ信号による階調を正確に表現するためのものであっても、または、以前のフレームに印加されていたデータ信号によってサブピクセルに充電された電荷を放電させるためのものであってもよい。チャージ信号は、第１チャージ信号（第１ｃ／ｓ）及び第２チャージ信号（第２ｃ／ｓ）を含む。
【００１７】
チャージ信号は、ピクセル部（Ｐ）にデータ信号を印加する前に印加することができる。このプリチャージ信号は、データ信号を処理して最適の値を算出することにより得られる。
【００１８】
ここで、データ処理部１５２はルックアップテーブル（ＬＵＴ）１５３と第１チャージ信号出力部（第１ｃ／ｓ出力部）１５４を含むことができる。ルックアップテーブル１５３は、データ信号に対応する理想的なチャージ値を格納してあり、第１チャージ信号出力部１５４は、予め設定された多数の電圧値を含む。データ処理部１５２は、データ信号を受けて、そのデータ信号に該当する理想的なチャージ値をルックアップテーブル１５３を使用して決定した後、理想的なチャージ値より小さく、かつ、理想的なチャージ値に近接した電圧値を第１チャージ信号出力部１５４から選択して、第１チャージ信号を出力する。そして、理想的なチャージ値と第１チャージ信号の差に該当する第２チャージ信号を生成する。
【００１９】
コンバータ１５５は、データ処理部１５２から伝達されたデータ信号または第２チャージ信号を電流に変換する。即ち、ディジタル信号をアナログ信号に変換する。
【００２０】
駆動部１４０は、スイッチ部１６０を更に含むことができる。スイッチ部１６０は制御部（図示は省略する）及びデータ駆動部１５０と接続されており、データ信号、第１及び第２チャージ信号をピクセル部１２０に選択的に供給することができる。スイッチ部１６０は、コンバータ１５５とピクセル部１２０との間に位置する第１及び第２スイッチ（ＳＷ１、ＳＷ２）を含む。データ信号は、第１スイッチ（ＳＷ１）を通じてピクセル部に供給することができ、第２チャージ信号は、第２スイッチ（ＳＷ２）を通じてピクセル部に供給することができる。ここで、第２スイッチ（ＳＷ２）は、ブースタを更に含むことができ、これによって、第２チャージ信号をブーストして供給することができる。
【００２１】
そして、スイッチ部１６０は、第１チャージ信号出力部１５４とピクセル部１２０との間に位置する第３スイッチ（ＳＷ３）を含むことができる。ここで、第３スイッチ（ＳＷ３）は、第１チャージ信号出力部に設定された多数個の電圧値に接続された複数個のスイッチを含むことができる。
【００２２】
図３は本発明の駆動方法による駆動波形図であり、図４及び図５は本発明の第１実施形態に係る平板表示装置の駆動方法によるピクセル電流とプリチャージ電圧との関係を示すグラフである。
【００２３】
理解を助けるために、図４及び図５を参照して一例を説明する。以下の説明において、第１チャージ信号出力部１５４に設定された電圧値はＶ１ｓｔ＿ｃｈａｒｇｅ０、Ｖ１ｓｔ＿ｃｈａｒｇｅ１、Ｖ１ｓｔ＿ｃｈａｒｇｅ２、及びＶ１ｓｔ＿ｃｈａｒｇｅ３の４段階であると仮定する。
【００２４】
制御部（図示は省略する）から駆動部１４０に制御信号が印加されると、スキャン駆動部１４５は、スキャンライン１３０Ａを通じてピクセル部１２０にスキャン信号を供給する。データ駆動部１５０のデータ出力部１５１は、外部から供給されたデータ信号をデータ処理部１５２に供給し、データ処理部１５２は、供給されたデータ信号を処理してそのデータ信号に該当する第１及び第２チャージ信号を生成する。
【００２５】
第１及び第２チャージ信号を生成する段階をより詳細に説明すれば、次の通りである。データ出力部１５１からデータ信号がデータ処理部１５２に供給されると、データ処理部１５２は、ルックアップテーブル１５３に基づいてデータ信号に対応する理想的なチャージ値を決定する。図４に示す例では、理想的なチャージ値はＶｂである。次に、データ処理部１５２は、第１チャージ信号出力部１５４から理想的なチャージ値よりは小さく、かつ、理想的なチャージ値に最も近い電圧を選択して出力する。したがって、第１チャージ信号はＶ１ｓｔ＿ｃｈａｒｇｅ１と決定される。そして、データ処理部１５２は、理想的なチャージ値と第１チャージ信号、即ち、ＶｂとＶ１ｓｔ＿ｃｈａｒｇｅ１の差に該当する第２チャージ信号（ΔＶ）を生成する。図４に示す例では、サブピクセルは、直前のフレームに印加されていたデータ（ｎ−１  Ｄａｔａ）によりＶａに充電されている。したがって、第１及び第２チャージ信号を印加すると、ピクセル部１２０を最適の電圧値にディスチャージすることができる。
【００２６】
そして、図５に示す例では、理想的なチャージ値はＶｂであり、第１チャージ信号はＶ１ｓｔ＿ｃｈａｒｇｅ２となる。したがって、データ処理部はＶｂとＶ１ｓｔ＿ｃｈａｒｇｅ２の差に該当する第２チャージ信号（ΔＶ）を生成する。ここで、ピクセル部１２０は、直前のデータ信号（ｎ−１ Ｄａｔａ）によりＶａに充電されている。したがって、第１及び第２チャージ信号を印加すると、ピクセル部１２０を最適の電圧値にプリチャージすることができる。
【００２７】
データ出力部１５１は、データ信号及び第２チャージ信号はコンバータ１５５に出力し、第１チャージ信号は第１チャージ信号出力部１５４を通じてスイッチ部１６０に出力する。
【００２８】
コンバータ１５５は、ディジタル信号であるデータ信号と第２チャージ信号をアナログ信号である電流に変換し、制御部の制御信号によってこれをスイッチ部１６０に出力する。
【００２９】
制御部の制御信号によって第３スイッチ（ＳＷ３）がターン−オンされると、第１チャージ信号出力部１５４を通じて第１チャージ信号がピクセル部１２０に供給される。この際、制御部は、第１チャージ信号出力部１５４の中から選択された電圧値に接続されたスイッチをターン−オンさせることにより、第１チャージ信号をピクセル部１２０に供給することができる。次に、第２スイッチ（ＳＷ２）がターン−オンされると、第２チャージ信号がピクセル部１２０に供給され、理想的なチャージ値でピクセル部１２０はチャージされる。次に、制御部の制御信号によって第１スイッチ（ＳＷ１）がターン−オンされると、データ電流がピクセル部１２０に供給される。これで、ピクセル部１２０はデータ信号に対応する映像を表示する。
【００３０】
上述したように、本発明の第１実施形態に係る平板表示装置１００は、データ処理部１５２を含むことによって、データ信号に対応する最適のチャージ値をピクセル部１２０に供給することができる。したがって、電力の消費が減少し、データ信号に対応する正確な映像が表現できるようになるので、画面の品質を向上させることができる。
【００３１】
図６は、本発明の第２実施形態に係る平板表示装置の駆動部を示すブロック図である。
【００３２】
図６に示すように、データ駆動部２５０は、データ出力部２５１、データ処理部２５２及びコンバータ２５５を含む。
【００３３】
データ出力部２５１は、外部からディジタルデータ信号の供給を受けてデータ処理部２５２に伝達する。データ処理部２５２は、データ出力部２５１から伝達されたデータ信号を処理してそのデータ信号に該当するチャージ信号を生成する。ここで、チャージ信号は第１チャージ信号（第１ｃ／ｓ）及び第２チャージ信号（第２ｃ／ｓ）を含む。
【００３４】
チャージ信号は、ピクセル部（Ｐ）２２０にデータ信号を供給する前に供給することができる。プリチャージ信号は、データ信号を処理して最適の値を算出することにより得られる。
【００３５】
ここで、データ処理部２５２は、ルックアップテーブル（ＬＵＴ）２５２と第１チャージ信号出力部（第１ｃ／ｓ出力部）２５４を含むことができる。ルックアップテーブル２５２は、データ信号に対応する理想的なチャージ値を格納しており、第１チャージ信号出力部２５４は、予め設定された多数個の電圧値を含む。
データ処理部２５２は、データ信号を受けて、そのデータ信号に該当する理想的なチャージ値をルックアップテーブル２５２を使用して決定した後、理想的なチャージ値に最も近接した電圧値を第１チャージ信号出力部２５４から選択して、第１チャージ信号を出力する。そして、理想的なチャージ値と第１チャージ信号の差に該当する第２チャージ信号を生成する。
【００３６】
コンバータ２５５は、データ処理部２５２から供給されたデータ信号または第２チャージ信号を電流に変換する。即ち、ディジタル信号をアナログ信号に変換する。
【００３７】
駆動部２４０はスイッチ部２６０を更に含むことができる。スイッチ部２６０は、制御部（図示は省略する）及びデータ駆動部２５０に接続されており、データ信号、第１及び第２チャージ信号をピクセル部２２０に選択的に供給することができる。スイッチ部２６０は、コンバータ２５５とピクセル部２２０との間に位置する第１及び第２スイッチ（ＳＷ１、ＳＷ２）を含む。データ信号は、第１スイッチ（ＳＷ１）を通じてピクセル部に供給することができ、第２チャージ信号は、第２スイッチ（ＳＷ２）を通じてピクセル部に供給することができる。そして、スイッチ部２６０は、接地電圧（ディスチャージパス）に接続された電流ミラー２６５及び電流ミラー２６５とピクセル部２２０との間に接続された第３スイッチ（ＳＷ３）を含むことができる。電流ミラー２６５は、第２スイッチ（ＳＷ２）及び第３スイッチ（ＳＷ３）の一端に接続される。
【００３８】
ここで、第３スイッチ（ＳＷ３）は、接地電圧に接続された電流ミラー２６５を含むことにより、第２チャージ信号と同じ大きさの電流によりピクセル部を放電することができる。
【００３９】
第２または第３スイッチ（ＳＷ２、ＳＷ３）はブースタを更に含むことができ、これによって、ピクセル部を迅速にプリチャージまたはディスチャージすることができる。そして、スイッチ部２６０は、第１チャージ信号出力部２５４とピクセル部２２０との間に位置する第４スイッチ（ＳＷ４）を含むことができる。ここで、第４スイッチ（ＳＷ４）は、第１チャージ信号出力部に設定された多数個の電圧値に接続された複数個のスイッチを含むことができる。
【００４０】
図７は、本発明の第２実施形態に係る平板表示装置の駆動方法によるピクセル電流とプリチャージ電圧との関係を示すグラフである。以下では、図３、図６及び図７を参照して本発明の第２実施形態に係る平板表示装置の駆動方法を説明する。以下の説明では、第１チャージ信号出力部２５４に設定された電圧値は、Ｖ１ｓｔ＿ｃｈａｒｇｅ０、Ｖ１ｓｔ＿ｃｈａｒｇｅ１、Ｖ１ｓｔ＿ｃｈａｒｇｅ２、及びＶ１ｓｔ＿ｃｈａｒｇｅ３の４段階であると仮定する。
【００４１】
制御部（図示は省略する）から駆動部２４０に制御信号が印加されると、スキャン駆動部２４５は、スキャンライン２３０Ａを通じてピクセル部２２０にスキャン信号を供給する。データ駆動部２５０のデータ出力部２５１は、外部から供給されたデータ信号をデータ処理部２５２に供給し、データ処理部２５２は、供給されたデータ信号を処理してそのデータ信号に該当する第１及び第２チャージ信号を生成する。
【００４２】
第１及び第２チャージ信号を生成する段階をより詳細に説明すれば、次の通りである。データ出力部２５１からデータ信号がデータ処理部２５２に供給されると、データ処理部２５２は、ルックアップテーブル２５３に基づいてデータ信号に該当する理想的なチャージ値を決定する。図７に示す例では、理想的なチャージ値はＶｂである。次に、データ処理部２５２は、第１チャージ信号出力部２５４から理想的なチャージ値に最も近い電圧を選択して出力する。したがって、第１チャージ信号はＶ１ｓｔ＿ｃｈａｒｇｅ３と決まる。そして、データ処理部２５２は、理想的なチャージ値と第１チャージ信号、即ち、ＶｂとＶ１ｓｔ＿ｃｈａｒｇｅ３の差に該当する第２チャージ信号（ΔＶ）を生成する。この際、図７に示す例では、直前のフレームに印加されていたデータ（ｎ−１ Ｄａｔａ）により、サブピクセルはＶａに充電されている。したがって、第１及び第２チャージ信号を印加すると、ピクセル部を最適の電圧値にプリチャージすることができる。
【００４３】
データ出力部２５１は、データ信号及び第２チャージ信号はコンバータ２５５に出力し、第１チャージ信号は第１チャージ信号出力部２５４を通じてスイッチ部２６０に出力する。
【００４４】
コンバータ２５５は、ディジタル信号であるデータ信号と第２チャージ信号をアナログ信号である電流に変換し、制御部の制御信号によってこれをスイッチ部２６０に出力する。
【００４５】
制御部の制御信号によって第４スイッチ（ＳＷ４）がターン−オンされると、第１チャージ信号出力部２５４を通じて第１チャージ信号がピクセル部２２０に供給される。この際、制御部は第１チャージ信号出力部２５４の中から選択された電圧値に接続されたスイッチをターン−オンさせることによって、第１チャージ信号をピクセル部２２０に供給することができる。次に、第３スイッチ（ＳＷ３）がターン−オンされると、第２チャージ信号が電流ミラー２６５に供給され、ピクセル部２２０は、第３スイッチ（ＳＷ３）を通じて第２チャージ信号と同じ大きさの電流により放電される。この例の場合、理想的なチャージ値の大きさより第１チャージ信号の大きさが大きいため、第２チャージ信号はディスチャージ信号となる。
【００４６】
仮に、理想的なチャージ値の大きさが第１チャージ信号の大きさより大きければ、第２チャージ信号はプリチャージ信号となり、この時は第２スイッチ（ＳＷ２）がターン−オンされて、第２チャージ信号に相当する電流がピクセル部２２０に供給される。
【００４７】
次に、制御部の制御信号によって、第１スイッチ（ＳＷ１）がターン−オンされると、データ電流がピクセル部２２０に供給される。これで、ピクセル部２２０はデータ信号に対応する映像を表示する。
【００４８】
上述したように、本発明の第２実施形態に係る平板表示装置は、データ信号に対応する理想的なチャージ値をデータ処理部２５２を通じて供給することができる。したがって、電力の消耗を減少させることができ、データ信号に対応する正確な映像イメージを表現することができるので、画面の品質を向上させる効果が得られる。
【００４９】
尚、上述した第１及び第２実施形態において、データ駆動部は、直前のデータ信号と現在のデータ信号とを比較する比較器を含むものである。そして、直前のデータ信号と現在のデータ信号が実質的に同一な場合には、チャージ信号を供給しないものであってもよい。
【図面の簡単な説明】
【００５０】
【図１】本発明の第１実施形態に係る平板表示装置の平面図である。
【図２】本発明の第１実施形態に係る平板表示装置の駆動部を説明するためのブロック図である。
【図３】本発明に係る平板表示装置の駆動方法による駆動波形図の一例である。
【図４】本発明の第１実施形態に係る平板表示装置の駆動方法を説明するためのピクセル電流とプリチャージ電圧の関係を示すグラフである。
【図５】本発明の第１実施形態に係る平板表示装置の駆動方法を説明するためのピクセル電流とプリチャージ電圧の関係を示すグラフである。
【図６】本発明の第２実施形態に係る平板表示装置の駆動部を説明するためのブロック図である。
【図７】本発明の第２実施形態に係る平板表示装置の駆動方法を説明するためのピクセル電流とプリチャージ電圧との関係を示すグラフである。
【符号の説明】
【００５１】
１００：平板表示装置、１１０：基板、１２０，２２０：ピクセル部、１３０Ａ，２３０Ａ：スキャンライン、１３０Ｂ：データライン、１４０，２４０：駆動部、１４５，２４５：スキャン駆動部、１５０，２５０：データ駆動部、１５１，２５１：データ出力部、１５２，２５２：データ処理部、１５５，２５５：コンバータ、１６０，２６０：スイッチ部
【図１】
2008015471.tif 000003
【図２】
2008015471.tif 000004
【図３】
2008015471.tif 000005
【図４】
2008015471.tif 000006
【図５】
2008015471.tif 000007
【図６】
2008015471.tif 000008
【図７】
2008015471.tif 000009